(57)【特許請求の範囲】
【請求項１】
切取部を介して主票と控え票が連接されてなり、該主票と控え票の表面側にはプリント印字欄が設けられ、さらに、該主票の裏面側には手書き記入欄が設けられてなると共に、該手書き記入欄に対応する該主票の表面側には発色剤層が施され、かつ、該控え票の表面側には、前記主票と控え票を前記切取部を境に折り畳んだ際、前記発色剤層に対応する部分に顕色剤層が施されてなる控え票付き複写シート。
【発明の詳細な説明】
【０００１】
【発明の属する技術分野】
本発明は、プリンタにて所要情報を印字した後、切取部を境に折り畳むことで主票への手書き追加情報を控え票に複写できる控え票付き複写シートに関する。
【０００２】
【従来の技術】
従来、金融、保険、証券業界では、金銭授受の際に発行される証書類には、業者管理用の入金票などを主票とし、この主票に切取部を介して控え票を連接し、控え票を顧客管理用の領収書などとして構成するものが多々ある。このような証書類では、通常、顧客の契約条件やＩＤ情報などの可変情報が、主票および控え票のそれぞれの表面側に可変情報印字用プリンタをもって一括して印字される。その後、この証書類は、担当者が主票の手書き記入欄に追加情報を記入した上、切取部にて主票と控え票とに分離され、主票は自ら担当者が管理すると共に、控え票は顧客に渡され、それぞれ好適に利用される。
【０００３】
しかしながら、このような追加記入情報には、例えば、金銭授受が実際に行われた日時など、担当者のみならず顧客にとっても必要な情報もあり、控え票にも同様な内容を追加記入すべき場合がある。この場合には、控え票にも主票の手書き記入欄と同様の手書き記入欄を設け、担当者はそれぞれの手書き記入欄に同じ追加情報を記入しなければならないという二度手間が生じるだけでなく、両記入情報の不一致という誤記の可能性も否定できない。
【０００４】
【発明が解決しようとする課題】
そこで、本発明は、主票および控え票のそれぞれの表面側に可変情報印字用プリンタをもって一括して可変情報を印字でき、かつ、ワンライティングで主票のみならず控え票にも追加情報を記入できる控え票付き複写シートの提供を課題とする。
【０００５】
【課題を解決するための手段】
かかる課題に鑑み、本発明者は、主票と控え票の表面側にプリント印字欄をそれぞれ設けると共に、主票と控え票の表面側同士を対接させるように切取部を境に折り畳み、主票の裏面側から追加情報を記入すると、控え票の表面側にも該追加情報が複写されるようにすべく、手書き記入欄を主票の裏面側に、さらに、発色剤層および顕色剤層を主票および控え票の表面側に、それぞれ配設する構成を見い出し、本発明の控え票付き複写シートを想到した。
【０００６】
すなわち、本発明の控え票付き複写シートは、切取部を介して主票と控え票が連接されてなり、該主票と控え票の表面側にはプリント印字欄が設けられ、さらに、該主票の裏面側には手書き記入欄が設けられてなると共に、該手書き記入欄に対応する該主票の表面側には発色剤層が施され、かつ、該控え票の表面側には、前記主票と控え票を前記切取部を境に折り畳んだ際、前記発色剤層に対応する部分に顕色剤層が施されてなることを特徴とする。
【０００７】
このような構成の控え票付き複写シートであれば、プリント印字欄が主票と控え票の同じ表面側にあるため、可変情報印字用プリンタをもって、それぞれのプリント印字欄に一括して可変情報を印字でき、かつ、切取部を境に折り畳み、主票の裏面側に設けられた手書き記入欄に追加情報を記入すると、手書き記入欄に表裏対応する主票の表面側の発色剤層と、この発色層に対応する控え票の表面側の顕色剤層とが反応し、控え票の表面側にも該追加情報が複写されることで、ワンライティングで主票のみならず控え票にも追加情報を記入できる。
【０００８】
なお、手書き記入欄を主票の裏面側でなく、プリント印字欄と併設するように主票の表面側に設ける構成も考えられるが、この場合には、追加情報は控え票の裏面側に複写されることになり、通常、控え票の裏面側には顧客に向けての注意書きやお願い書きなどの一般情報が印刷されており、追加情報の手書き複写欄を設けることによるフォーマット上の制約が生じるばかりでなく、顧客固有の可変情報である印字情報と追加情報とを表裏分離させることは顧客の注意喚起や利用勝手の面で不都合であり、顧客への配慮から、このような構成は好ましくない。
【０００９】
【発明の実施形態】
以下、本発明の控え票付き複写シートにつき、好適な実施例を挙げ、添付の図面に基づき、さらに詳細に説明する。なお、ここにおいて、図１は本発明の控え票付き複写シートの表面側平面図、図２は図１の控え票付き複写シートの裏面側平面図、図３は図１のＸ−Ｘ線断面図、図４は切取部を境に折り畳んだ状態の図１の控え票付き複写シートの断面説明図、図５は別の実施例における控え票付き複写シートの断面説明図である。
【００１０】
図１および図２に示すように、本実施例の控え票付き複写シート１は保険料証書として構成されており、主票２たる「保険料入金票」と控え票３たる「保険料領収証」がミシン線からなる切取部Ｍを介して連接してなる。そして、主票２の表面側には証券番号、契約年月日、配当方式、保険料、予納金、担当者氏名などを印字するためのプリント印字欄Ｐ１が設けられ、一方、控え票３の表面側にも証券番号、保険料、振込保険料などのプリント印字欄Ｐ２が設けられている。
【００１１】
主票２の裏面側の適所には、領収日を担当者が追加記入するための手書き記入欄Ｗが設けられると共に、図３に示すように、この手書き記入欄Ｗに対応する主票２の表面側には発色剤層４が施されている。また、図３および図４に示すように、控え票３の表面側には、切取部Ｍを境に折り畳み、主票２と控え票３の表面側同士を対接した際、発色剤層４に対応する位置に顕色剤層５が施され、この部分に手書き記入欄Ｗに対応した手書き複写欄Ｗ´が設けられている。
【００１２】
したがって、可変情報印字用プリンタをもって、主票２および控え票３のそれぞれのプリント印字欄Ｐ１，Ｐ２には一括して可変情報が印字される。その後、担当者は、実際に顧客との間に金銭の授受があった際には、切取部Ｍにて折り畳み、主票２の裏面側に設けられた手書き記入欄Ｗに領収日（図示せず）を記入すると、控え票３の手書き複写欄Ｗ´に、この領収日が複写される。そして、切取部Ｍにて主票２と控え票３とに分離し、主票２は自ら担当者が管理すると共に、控え票３は顧客に渡され、それぞれ好適に利用される。
【００１３】
なお、本発明における発色剤層４は、手書き記入欄Ｗに表裏対応した主票２の表面側にスポット的に施され、この発色剤層４を構成する部材は、ロイコ系染料などの発色剤を含有したマイクロカプセル水溶液をＰＶＡなどの水性バインダと混合してなる水性塗料タイプのものでも良いが、好ましくは、従来公知の発色剤マイクロカプセルを含有したフレキソインキタイプやホットメルトインキタイプなどの油性インキタイプのものが良く、さらに好ましくは、特開平７−２１６２７３号公報や特開平８−３９９２８号公報に開示された製法に基づき調製され、インキビヒクルをＵＶ硬化型樹脂とした発色剤マイクロカプセルＵＶインキタイプのものが良い。
【００１４】
また、本発明における顕色剤層５についても、一般的には、発色剤層４に対応する控え票３の表面側にスポット的に施される。この顕色剤層５を構成する部材は、従来公知の電子受容性のレジンやクレーを含有した顕色剤インキであって、例えば、フェノール・ホルマリン樹脂や酸性白土、芳香族カルボン酸誘導体などの顕色剤を、芳香族炭化水素、アルコール、エステル等の有機溶剤や、アルキルベンゼンスルホン酸塩等の界面活性剤と混合させ、必要に応じて、白色顔料を添加して調製したものが好ましい。
【００１５】
さらに、本発明における顕色剤層５については、この構成に限定されず、例えば、図５に示すように、控え票付き複写シート１自体を、表面側に顕色剤層５を有してなるノーカーボン下用紙としても良く、この場合には、顕色剤層５は控え票付き複写シート１の表面側全面に施される構成となり、発色剤層４を顕色剤層５に施すことになるため、発色剤層４と顕色剤層５の間に減感インキ層６を施すのが好ましい。
【００１６】
【発明の効果】
以上説明したように、本発明の控え票付き複写シートによれば、プリント印字欄が主票と控え票の同じ表面側にあるため、可変情報印字用プリンタをもって、それぞれのプリント印字欄に一括して可変情報を印字でき、かつ、切取部を境に折り畳み、主票の裏面側に設けられた手書き記入欄に追加情報を記入すると、控え票の表面側にも該追加情報が複写され、ワンライティングで主票のみならず控え票にも追加情報を記入できることで、担当者の手間や誤記の危険性などを解消できる。加えて、顧客固有の可変情報である印字情報と追加情報とを控え票の同じ表面側に記載できるため、顧客の注意喚起や利用勝手の面で好適であるなど、様々な効果を泰するものである。
【図面の簡単な説明】
【図１】本発明の控え票付き複写シートの表面側平面図。
【図２】図１の控え票付き複写シートの裏面側平面図。
【図３】図１のＸ−Ｘ線断面図。
【図４】切取部を境に折り畳んだ状態の図１の控え票付き複写シートの断面説明図。
【図５】別の実施例における控え票付き複写シートの断面説明図。
【符号の説明】
１  控え票付き複写シート
２  主票
３  控え票
４  発色剤層
５  顕色剤層
Ｍ  切取部
Ｐ１，Ｐ２  プリント印字欄
Ｗ  手書き記入欄
【図１】
0003821957.tif 000002
【図２】
0003821957.tif 000003
【図３】
0003821957.tif 000004
【図４】
0003821957.tif 000005
【図５】
0003821957.tif 000006